(57)【要約】      （修正有）【課題】蓋体の開閉操作に伴う液体霧化手段からの液体の漏出を確実に抑えることができる超音波噴霧器を提供すること。【解決手段】超音波噴霧器の液体収容部は、液体を収容する収容本体部１０と、収容本体部１０の開口を覆う蓋体１４とを備え、蓋体１４は、収容本体部１０の開口部に着脱自在に装着される蓋本体２６と、蓋本体２６の天壁の内側に移動自在に装着された中蓋２８とを含み、中蓋２８に空気を排出するための空気排出孔４６が設けられているとともに、蓋本体２６の天壁の内面に空気排出孔４６を密封するためのシール部材３６が設けられている。蓋体１４を装着して特定角度位置まで回動するまでは、シール部材３６が中蓋２８の空気排出孔から離隔した状態に保持され、特定角度位置から締付角度位置まで回動すると、蓋体１４のシール部材３６がこの空気排出孔４６を密封する。【選択図】図２
2020163310.tif 000002
【特許請求の範囲】
【請求項１】
霧化する液体を収容する液体収容部と、超音波振動を利用して液体を霧状にする液体霧化手段とを備えた超音波噴霧器において、
前記液体収容部は、液体を充填するための開口を有する収容本体部と、前記収容本体部の開口を覆う蓋体とを備え、前記蓋体は、前記収容本体部の開口部に着脱自在に装着される蓋本体と、前記蓋本体の天壁の内側に前記天壁に対して所定範囲にわたって相対的に移動自在に装着された中蓋とを含み、前記中蓋に前記液体収容部内の空気を排出するための空気排出孔が設けられているとともに、前記蓋本体の天壁の内面に前記中蓋の前記空気排出孔を密封するためのシール部材が設けられており、
前記液体収容部の前記開口部に前記蓋体を装着すると、前記蓋体の前記中蓋が前記収容本体部の前記開口部に取り付けられ、この装着までの間においては、前記蓋体の前記シール部材が前記中蓋の前記空気排出孔から離隔した状態に保持され、そして、この装着状態から前記蓋体を締付方向に締付角度位置まで回動すると、前記蓋体の前記蓋本体が前記中蓋に近接する方向に移動され、前記蓋本体側の前記シール部材が前記中蓋の前記空気排出孔を密封することを特徴とする超音波噴霧器。
【請求項２】
前記液体収容部の前記開口部及び前記蓋体に関連して、前記中蓋を前記蓋本体の前記天壁に対して近接する方向に移動させるための近接移動機構が設けられ、前記近接移動機構は、前記液体収容部の前記開口部の外周面に設けられた挿入凹部及び係止凹部と、前記蓋本体の前記天壁から下方に延びる周側壁に設けられた近接作用突部とから構成され、前記液体収容部側の前記挿入凹部は上下方向に延び、前記係合凹部は前記挿入凹部から斜め下方に延びており、前記蓋体を前記液体収容容器の前記開口部に装着するときには、前記蓋本体側の前記近接作用突部は前記開口部側の前記挿入凹部内を移動し、この装着状態から前記締付方向に前記締付角度位置まで回動するときには、前記蓋本体側の前記近接作用突部は前記開口部側の前記係合凹部内を移動し、これにより、前記蓋本体は前記中蓋に対して近接する方向に移動されることを特徴とする請求項１に記載の超音波噴霧器。
【請求項３】
前記蓋体の前記蓋本体及び前記中蓋に関連して、前記中蓋を前記蓋本体の前記天壁に対して離隔する方向に移動させるための離隔移動機構が設けられ、前記離隔移動機構は、前記中蓋の外面に設けられた傾斜突部と、前記蓋本体の前記天壁の内面に設けられた離隔作用突部とから構成され、前記中蓋側の前記傾斜突部は前記蓋本体の前記天壁に向けて上方に傾斜する上傾斜部を有しており、前記蓋体を前記締付角度位置から緩め方向に回動すると、前記蓋本体側の前記離隔用突部は前記中蓋側の前記傾斜突部の前記上傾斜部に沿って移動し、これにより、前記蓋本体の前記天壁は前記中蓋に対して離隔する方向に移動されることを特徴とする請求項１又は２に記載の超音波噴霧器。
【請求項４】
前記蓋本体の前記周側壁の内周面には周方向に間隔をおいて複数の係止突部が設けられ、また前記蓋本体の前記天壁及び前記中蓋のいずれか一方には、それらの他方に対して作用する弾性偏倚手段が設けられており、前記中蓋は、前記弾性偏倚手段の弾性作用によって前記蓋本体の前記天壁から相対的に離隔する方向に偏倚され、その外周部が前記複数の係止突部に係止される離隔開放位置に保持されることを特徴とする請求項１〜３のいずれかに記載の超音波噴霧器。
【請求項５】
前記蓋本体の前記周側壁には、前記液体収容部側の前記挿入凹部に対応してスリット開口が設けられ、前記蓋本体側の前記スリット開口と前記液体収容部側の前記挿入凹部の片側部とを合わせると、前記蓋本体側の前記近接作用突部が前記液体収容部側の前記挿入凹部内に位置付けられることを特徴とする請求項２に記載の超音波噴霧器。
【発明の詳細な説明】
【技術分野】
【０００１】
本発明は、超音波振動を利用して液体を霧化して噴霧する超音波噴霧器に関する。
【背景技術】
【０００２】
液体を霧化して噴霧する噴霧器として超音波振動を利用したものが知られている（例えば、特許文献１参照）。この超音波噴霧器は、液体（例えば、水）を収容する液体収容部と、この液体収容部に収容された液体を霧化する液体霧化手段と、霧化した液体を所定方向に送出する送風ファンとを備えている。液体霧化手段は、液体収容部の底部に設けられたメッシュ部材と、このメッシュ部材に超音波振動を付与する超音波振動子を含んでいる。また、液体収容部は、液体を収容する収容本体部と、この収容本体部の開口部を覆う蓋体とを備えている。
【０００３】
このような超音波噴霧器では、超音波振動子によりメッシュ部材に超音波振動を与えると、メッシュ部材の網目部に存在する液体が超音波振動により微細な霧状となって噴出され、かく噴出された霧化した液体が送風ファンからの風によって所定方向に送出される。
【０００４】
このように送出される霧状の液体は、周囲の熱によって気化されやすく、気化することにより周囲の熱が奪われて温度が下がり、かくして、霧状液体が送出される周囲領域の空気を気化熱を利用して冷却することができる。
【先行技術文献】
【特許文献】
【０００５】
【特許文献１】特開２０１８−４８７８８号公報
【発明の概要】
【発明が解決しようとする課題】
【０００６】
しかしながら、このような超音波噴霧器では、霧化する液体を補充するときには、蓋体を取り外して収容本体部内に霧化すべき液体を充填し、充填した後に蓋体を装着する必要がある。しかし、蓋体を装着するときには、この装着により収容本体部内の空気が圧縮され、この空気の圧力上昇によって、メッシュ部材の網目部から液体が漏れ出るおそれがあり、この空気圧力の上昇が大きくなると、収容本体部内の液体がメッシュ部材の網目部から滴下するようになる。
【０００７】
そこで、このような問題を解消するために、蓋体に空気を排出するための逆止弁を設けたものも存在する。このような超音波噴霧器では、逆止弁として傘型のアンブレラ弁が用いられており、収容本体内の空気の圧力が大きくなると、アンブレラ弁が開状態となって空気が外部に排出される。
【０００８】
しかし、このような逆止弁（アンブレラ弁）は、収容本体内の空気の圧力上昇が小さいときには開状態にならず、収容本体内に大気圧よりも高い圧力状態が残るようになり、それ故に、この圧力状態が維持され続け、収容本体部内の液体がメッシュ部材の網目部から漏出するおそれが生じる。
【０００９】
本発明の目的は、蓋体の開閉操作に伴う液体霧化手段からの液体の漏出を確実に抑えることができる超音波噴霧器を提供することである。
【課題を解決するための手段】
【００１０】
本発明の超音波噴霧器は、霧化する液体を収容する液体収容部と、超音波振動を利用して液体を霧状にする液体霧化手段とを備えた超音波噴霧器において、
前記液体収容部は、液体を充填するための開口を有する収容本体部と、前記収容本体部の開口を覆う蓋体とを備え、前記蓋体は、前記収容本体部の開口部に着脱自在に装着される蓋本体と、前記蓋本体の天壁の内側に前記天壁に対して所定範囲にわたって相対的に移動自在に装着された中蓋とを含み、前記中蓋に前記液体収容部内の空気を排出するための空気排出孔が設けられているとともに、前記蓋本体の天壁の内面に前記中蓋の前記空気排出孔を密封するためのシール部材が設けられており、
前記液体収容部の前記開口部に前記蓋体を装着すると、前記蓋体の前記中蓋が前記収容本体部の前記開口部に取り付けられ、この装着までの間においては、前記蓋体の前記シール部材が前記中蓋の前記空気排出孔から離隔した状態に保持され、そして、この装着状態から前記蓋体を締付方向に締付角度位置まで回動すると、前記蓋体の前記蓋本体が前記中蓋に近接する方向に移動され、前記蓋本体側の前記シール部材が前記中蓋の前記空気排出孔を密封することを特徴とする。
【００１１】
この超音波噴霧器においては、液体収容部の前記開口部及び前記蓋体に関連して、中蓋を蓋本体の天壁に対して近接する方向に移動させるための近接移動機構を設け、この近接移動機構を液体収容部の開口部の外周面に設けられた挿入凹部及び係止凹部と、蓋本体の周側壁に設けられた近接作用突部とから構成するのが好ましい。このように構成することにより、蓋体を液体収容容器の開口部に装着するときには、蓋本体側の近接作用突部が開口部側の挿入凹部内を移動し、またこの装着状態から締付方向に締付角度位置まで回動するときには、この蓋本体側の近接作用突部が開口部側の係合凹部内を移動し、蓋体を締付角度位置まで回動することにより、蓋本体の天壁を中蓋に対して近接する方向に移動させて中蓋側の空気排出孔を蓋体側のシール部材により密封することができる。
【００１２】
また、この超音波噴霧器では、蓋体の蓋本体及び中蓋に関連して、中蓋を蓋本体の天壁に対して離隔する方向に移動させるための離隔移動機構を設け、この離隔移動機構を中蓋の外面に設けられた傾斜突部と蓋本体の天壁の内面に設けられた離隔作用突部とから構成し、中蓋側の傾斜突部に蓋本体の天壁に向けて上方に傾斜する上傾斜部を設けるのが好ましく、このように構成することにより、蓋体を締付角度位置から緩め方向に回動すると、蓋本体側の離隔用突部が中蓋側の傾斜突部の上傾斜部に沿って移動され、これにより、蓋本体の天壁を中蓋に対して離隔する方向に移動させて中蓋側の空気排出孔を開放することができる。
【００１３】
また、この超音波噴霧器では、蓋本体の周側壁の内周面に周方向に間隔をおいて複数の係止突部を設け、また蓋本体の天壁及び中蓋のいずれか一方には、それらの他方に対して作用する弾性偏倚手段を設けるのが好ましく、このように構成することにより、中蓋が弾性偏倚手段によって蓋本体の天壁から相対的に離隔する方向に偏倚され、中蓋の外周部が複数の係止突部に係止される離隔開放位置に保持され、このように中蓋を離隔開放位置に弾性的に保持して中蓋側の空気排出孔を開放状態に保持することができる。
【００１４】
更に、この超音波噴霧器では、蓋本体の周側壁に液体収容部側の挿入凹部に対応してスリット開口を設け、蓋本体側のスリット開口と液体収容部側の挿入凹部の片側部とを合わせると、蓋本体側の近接作用突部が液体収容部側の挿入凹部内に位置付けられるようにするのが好ましく、このように構成することにより、スリット開口と液体収容部側の挿入凹部の片側部とを合わせるようにすることにより、蓋体側の近接作用突部を液体収容部側の挿入凹部に挿入して蓋体を液体収容部の開口部に容易に装着することができる。
【発明の効果】
【００１５】
本発明の超音波噴霧器によれば、液体収容部の開口部に装着される蓋体は、収容本体部の開口部に着脱自在に装着される蓋本体と、前記蓋本体に装着された中蓋とを含み、この中蓋が蓋本体の天壁に対して所定範囲にわたって相対的に移動自在に装着され、この中蓋に空気排出孔が設けられ、蓋本体の天壁内面にシール部材が設けられているので、液体収容部の開口部に蓋体を装着するまでは、蓋体側のシール部材が中蓋側の空気排出孔から離隔した状態に保持され、これにより、蓋体を装着する際に圧力上昇する空気が空気排出孔を通して外側に排出され、かくして、液体収容部内の圧力を大気圧に保ち、液体収容部内の液体の液体霧化手段からの漏れをなくすことができる。また、この装着状態から締付角度位置まで回動する間は、液体収容部の開口部に装着された中蓋に対して蓋本体が近接する方向に移動されるので、容器本体部内の空気の圧力が上昇することなく中蓋の空気排出孔をシール部材により密封することができ、この際にも液体霧化手段からの液体の漏れをなくすことができる。
【図面の簡単な説明】
【００１６】
【図１】本発明に従う超音波噴霧器の一実施形態を簡略的に示す斜視図。
【図２】図１におけるＩＩ−ＩＩ線による断面図。
【図３】図１の超音波噴霧器において、蓋体を液体収容部から取り外した状態の一部を示す部分拡大断面図。
【図４】図１の超音波噴霧器において、蓋体を締付方向に締付角度位置まで回動させたときの状態の一部を示す部分拡大断面図。
【図５】図１の超音波噴霧器における中蓋の外面の構造を示す平面図。
【図６】図１の超音波噴霧器における離隔移動機構の動作を説明するための図であって、図６（ａ）は、液体収容部に蓋体を装着したときの状態を示す部分拡大図、図６（ｂ）は、蓋体を締付角度位置まで回動させたときの状態を示す部分拡大図。
【図７】図１の超音波噴霧器における近接移動機構の動作を説明するための図であって、液体収容部に蓋体を装着したときの状態を示す部分拡大図。
【図８】図７の近接移動機構の動作を説明するための図であって、蓋体を締付角度位置まで回動させたときの状態を示す部分拡大図。
【発明を実施するための形態】
【００１７】
以下、添付図面を参照して、本発明に従う超音波噴霧器の一実施形態について説明する。図１及び図２において、図示の超音波噴霧器２は、略円筒状の噴霧器ハウジング４を備え、この噴霧器ハウジング４内の上部に水などの液体を収容する液体収容部６が設けられているとともに、この噴霧器ハウジング４の略中央部に液体を霧状にする液体霧化手段８が配設され、更に噴霧器ハウジング４内の下部に送風ファンなどの送風手段（図示せず）が内蔵されている。
【００１８】
液体収容部６は、上面に開口を有する収容本体部１０と、この収容本体部１０の開口部１２に着脱自在に装着される蓋体１４を備え、霧化される液体（例えば、水）は、上面開口を通して収容本体部１０内に充填される。この収容本体部１０及び蓋体１４については、後に詳述する。
【００１９】
この実施形態では、噴霧器ハウジング４の正面の略中央部に円形状の噴霧開口部１６が設けられ、この噴霧開口部１６の内側に液体霧化手段８が配設されている。液体霧化手段８は、例えば、多数のメッシュが設けられたメッシュ部材１８と、このメッシュ部材１８に超音波振動を与える超音波振動子２０とを備え、メッシュ部材１８が噴霧開口部１６に配設されている。このメッシュ部材１８は、図２に示すように、収容本体部１０の底部に取り付けられ、収容本体部１０内に収容された液体に接触するように設けられている。メッシュ部材１８は、例えば５〜７μｍ程度の微細なメッシュが設けられており、このメッシュ部材１８に超音振動子２０により超音波振動を与えることにより、このメッシュ部材１８を通して微細な霧状の液体が噴出される。
【００２０】
また、この噴霧器ハウジング４の噴霧開口部１６の下側に送風開口部２２が配設され、この送風開口部２２の内側に送風手段（図示せず）が配設され、この送風手段は、例えばシロッコファンなどから構成される。この送風手段が作動されると、送風手段からの風が送風開口部２２を通して上方に向けて、換言すると噴霧開口部１６を通して噴霧される霧状液体に向けて噴出され、これにより、噴霧開口部１６から噴出される霧状液体が送風開口部２２からの風によって周囲に拡散され、この拡散される霧状液体の気化により周囲に冷却効果をもたらすことができる。
【００２１】
次に、図２〜図４を参照して、上述した蓋体１４について説明する。この蓋体１４は、液体収容部６（収容本体部１０）の開口部２４に着脱自在に装着される蓋本体２６と、この蓋本体２６の内側に装着された中蓋２８とを備えている。この実施形態では、蓋本体２６は、円形状の天壁３０と、この天壁３０の外周部から下方に延びる円筒状の周側壁３２とを有し、周側壁３２の上端部の内周面には、周方向に間隔をおいて複数（例えば、３つ）の係止突部３４（図３及び図４において一つのみ示す）が設けられ、これら係止突部３４は径方向内方に突出している。また、この蓋本体２６の天壁３０の内面には、シール部材３６が設けられている。このシール部材３６は、例えば、ゴム、合成ゴムなどの幾分弾性を有する材料から形成される。
【００２２】
また、中蓋２８は、蓋本体２６の天壁３０の形状に対応した円形状であり、その外周部に下方に突出する下環状突部３８が設けられ、中蓋２８の外周縁部４０は、この下環状突部３８から径方向外方に突出している。下環状突部３８の外周面には環状溝部４２が設けられ、この環状溝部４２にＯーリング４４が装着されている。このＯ−リング４４は、その表面にフッ素コーティング又はハロゲン化処理を施して摩擦が小さくなるように加工を施すのが望ましい。この中蓋２８の略中央部には、蓋本体２６側のシール部材３６に対応して空気排出孔４６が設けられている。
【００２３】
中蓋２８は、図３及び図４（図３及び図４においては、中蓋２８側の後述する傾斜突部を省略して示している）に示すように、蓋本体２６の天壁３０と周側壁３２の複数の係止突部３４との間に上下方向に所定範囲にわたって移動自在に装着される。蓋体１４を収容本体部１０の開口部２４に装着した状態では、図３において蓋体１４の中蓋２８に当接するように収容本体部１０の開口部２４を挿入した状態となる（図４参照）。この装着状態においては、中蓋２８の外周縁部４０がこの開口部２４の開口端に当接し、その下環状突部３８に装着されたＯ−リング４４が中蓋２８とこの開口部２４との間を密封する。
【００２４】
尚、このような装着状態となるように、この開口部２４の開口端部の外径が幾分小さく、蓋本体２６側の係止突部３４がこの開口端部に当接しないように構成されており、またこの状態においては、図３に示すように、蓋本体２６の天壁３０は、中蓋２８から離隔した離隔開放位置に保持される。この離隔開放位置（中蓋２８が蓋本体２６の天壁３０から離隔する位置）においては、中蓋２８の外周縁部４０が蓋本体２６側の複数の係止突部３４に当接して係止され、かかる離隔状態では蓋本体２６側のシール部材３６が中蓋２８の空気排出孔４０から離れ、この空気排出孔４０は開放状態に保持される。
【００２５】
また、後に説明するようにして図４に示す近接密閉位置（中蓋２８が蓋本体２６の天壁３０に近接（乃至接触）する位置）に位置付けられると、蓋本体２６の天壁３０に設けられたシール部材３６が中蓋２８に圧接され、このシール部材３６により中蓋２８の空気排出孔４０が密閉される。
【００２６】
この超音波噴霧器２においては、図５に示すように、蓋本体２６と中蓋２８との間に、この中蓋２８を蓋本体２６の天壁３０から離隔する方向に相対的に偏倚する弾性偏倚手段５２が設けられている。図示の形態では、弾性偏倚手段５２は、相互に対向して配設された一対の板ばね部材５４から構成され、これら板ばね部材５４の中間部が中蓋２８に固定され、それらの両端部５６が蓋本体２６の天壁３０に向けて延びている。一対の板ばね部材５４の両端部５６は、この天壁３０の内面に作用して天壁３０に対して中蓋２８を離隔する方向に弾性的に偏倚し、これら板ばね部材５４の作用によって、中蓋２８は、その外周縁部４０が蓋本体２６側の複数の係止突部３４に当接する離隔開放位置に弾性的に保持される（図３参照）。
【００２７】
この実施形態では、弾性偏倚手段５２を中蓋２８側に設けているが、このような構成に代えて、蓋本体２６の天壁３０側に設けるようにしてもよい。この場合、弾性偏倚手段５２は中蓋２８の外面に作用して天壁３０に対して中蓋２８を離隔する方向に偏倚し、このように構成しても上述したと同様にして中蓋２８を離隔開放位置に弾性的に保持することができる。
【００２８】
この超音波噴霧器２においては、液体収容部６の開口部２４及び蓋体１４に関連して、中蓋２８を蓋本体２６の天壁３０に対して相対的に近接する方向に移動させるための近接移動機構６２が設けられ、この実施形態では、収容本体部６及び蓋本体２６の周方向に間隔をおいて一対の近接移動機構６２が設けられている（図７及び図８においては、それらの一方のみを示す）。
【００２９】
図７及び図８（図７及び図８では中蓋２８を省略して示している）を参照して、図示の近接移動機構６２は、液体収容部６側に設けられた挿入凹部６２及び係合凹部６４と、蓋体１４側に設けられた近接作用突部６６とから構成されている。
【００３０】
この形態では、挿入凹部６２及び係合凹部６４は、収容本体部１０の開口部２４の外周面に設けられ、挿入凹部６２は、この開口部２４の開口端部から下方に延び、係合凹部６４は、挿入凹部６２の下端部から斜め下方（即ち、時計方向の締付方向に向けて斜め下方）に延び、係合凹部６４の片側部６８（上側側部）は、蓋体１４側の近接作用突部６６を斜め下方に移動させる近接作用面として機能し、その他側部７０（下側側部）は、この近接作用突部６６を案内する案内面として機能する。
【００３１】
また、近接作用突部６６は、図７及び図８から理解されるように、蓋本体２６の周側壁３２の内周面の下端部に設けられ、後述するように、収容本体部１０側の挿入凹部６２及び係合凹部６４内に沿って移動される。この近接作用突部６６の一端側上部（即ち、係合凹部６４の片側部６８と接触する部位）は、この係合凹部６４の片側部６８（近接作用面）に対応する傾斜形状に形成し、その他端側下部（即ち、係合凹部６４の他側部７０と接触する部位）は、この係合凹部６４の他側部７０（案内面）に対応する傾斜形状に形成するのが好ましい。
【００３２】
この実施形態では、蓋本体２６の周側壁３２の所定部位に、挿入凹部６２（この形態では、その片側部７２）に対応してスリット開口７４が設けられている。図７に示すように、このスリット開口７４を通して収容本体部１０側の挿入凹部６２の片側部７２が視認できる角度位置に蓋本体２６を位置付けると、蓋本体２６側の近接作用突部６６が収容本体部１０側の挿入凹部６２内に位置するようになり、このように構成することにより、スリット開口７４を挿入凹部６２の片側部７２に合わせるという簡単な操作でもって、蓋本体２６側の近接作用突部６６を収容本体部１０側の挿入凹部６２内に所要の通り位置付けることができる。
【００３３】
尚、この形態では、収容本体部１０側の挿入凹部６２の片側部７２と蓋本体２６側のスリット開口７４とを合わせるようにしているが、このような構成に代えて、挿入凹部６２の他側部とこのスリット開口７４とを合わせるようにしてもよく、或いは収容本体部１０側に専用の目印を設け、この専用目印にスリット開口を合わせるようにしてもよい。
【００３４】
このように構成されているので、収容本体部１０側の挿入凹部６２内に蓋本体２６側の近接作用突部６６を位置付けてこの収容本体部１０の開口部２４に蓋本体２６を装着すると、図７に示すように、近接作用突部６６の他端側下部が収容本体部１０側の係合凹部６２の他側部７０に当接保持される。このとき、この近接作用突部６６が図７に実線で示す装着角度位置（図８に二点鎖線で示す角度位置）よりも矢印７１（図８参照）で示す締付方向に見て上流側に位置する角度位置に位置するときには、この近接作用突部６６はこの係合凹部６４の他側部７０（案内面）に沿って斜め下方に移動し、この移動に伴い蓋本体２６が締付方向に回動されて図７に示す装着角度位置に位置付けられる。
【００３５】
そして、図７に示す装着角度位置から蓋本体２６を矢印７１で示す締付方向に更に締付角度位置まで回動すると、図８に示すように、蓋本体２６側の近接作用突部６６が締付方向に移動し、係合凹部６２の片側部６８（近接作用面）に当接した後にこの片側部６８に沿って斜め下方に図８に実線で示す位置まで移動される。この片側部６８に沿って近接作用突部６６が斜め下方に移動される間は、収容本体部１０の開口部２４に対して蓋本体２６が下方に移動されるので、後に詳述するように、中蓋２８に対して蓋本体２６の天壁３０が近接する方向に移動される。
【００３６】
この超音波噴霧器２においては、更に、蓋本体２６及び中蓋２８に関連して、中蓋２８を蓋本体２６の天壁３０に対して離隔する方向に移動させるための離隔移動機構８２が設けられている。この実施形態では、蓋本体２６及び中蓋２８の周方向に間隔をおいて一対の近接移動機構８２が設けられている。
【００３７】
図５及び図６を参照して、図示の離隔移動機構８２は、中蓋２８の外面（蓋本体２６の天壁３０に対向する面）に設けられた一対の傾斜突部８４と、蓋本体２６の天壁３０の内面に設けられた離隔作用突部８６とから構成されている。
【００３８】
この形態では、一対の傾斜突部８４は、中蓋２８の外面に設けられ、それらの一端側（即ち、一点鎖線の矢印７１で示す締付方向に見て下流側）に当接保持部８８が設けられ、またこれら当接保持部８８の下流側に上傾斜部９０が設けられ、かかる上傾斜部９０は矢印７１で示す締付方向に対して反対方向に向けて上方に傾斜して当接保持部８８に延びている。この形態では、離隔移動機構８２は、径方向に間隔をおいて配設された一対の傾斜突部８４を備えているが、このような構成に代えて、幅の広い一つの傾斜突部から構成するようにしてもよい。
【００３９】
また、離隔作用突部９０は、各離隔移動機構８２に対応して蓋本体２６の天壁３０の内面に設けられている。この離隔移動機構８２の一対の傾斜突部８４と離隔作用突部８６との位置関係は、図６に示すような位置関係となるように構成される。通常のときは、図６（ａ）で示すように、本体２６側の離隔作用突部８６が中蓋２８の一対の傾斜突部８４の当接保持部８６に位置し、離隔作用突部８６の一端（矢印７１で示す締付方向に見て上流側端）が一対の傾斜突部８４の段部９２に当接することにより、この当接保持部８６を超える移動が阻止される。このとき、離隔作用突部８６が傾斜突部８４の上傾斜部９０を超えて当接保持部８８に位置付けられるので、中蓋２８は、蓋本体２６の天壁３０から離隔した離隔開放位置（図３に示す位置）に位置付けられる。
【００４０】
このような状態から蓋本体２６を中蓋２８（換言すると、収容本体部１０）に対して矢印７１で示す締付方向に回動すると、蓋本体２６側の離隔作用突部８６が傾斜突部８４の上傾斜部９０に沿って移動し、この上傾斜部９０に沿って移動するときに蓋本体２６の天壁３０が中蓋２８に近接する方向に移動される。そして、蓋本体２６（蓋体１４）を収容本体部１０に対して締付角度位置まで回動すると、図６（ｂ）に示すように、蓋本体２６側の離隔作用突部８６が中蓋２８の外面に近接乃至接触し、蓋本体２６の天壁３０は、図４に示す近接密閉位置に位置付けられ、この蓋本体２６側の離隔作用突部８６が一対の傾斜突部８４の上傾斜部９０を移動する間に蓋本体２６の天壁３０が中蓋２８に近接する方向に移動して蓋本体２６側のシール部材２６が中蓋２８の空気排出孔４６を密封する。
【００４１】
この実施形態では、更に、蓋本体２６を上記締付角度位置にロック保持するためのロック保持手段９４が設けられている。この形態では、中蓋２８の外面に環状突部９６が設けられ、この環状突部９６の外周面に一対のロック突部９８が設けられている。また、蓋本体２８の天壁３０の一対の離隔作用突部８６に、一対のロック突部９８に対応して係合アーム１００が設けられ、中蓋２８側の一対のロック突部９８及び蓋本体２６側の係合アーム１００がロック保持手段９４を構成する。
【００４２】
これら係合アーム１００の先端部は、ロック突部９８に係脱自在に係合するように構成されており、蓋本体２６を締付方向に回動して締付角度位置に回動すると、一対の係合アーム１００の先端部は、対応するロック突部９８を乗り越え、このロック突部９８と係合して蓋本体２６を締付角度位置にロック保持する。尚、蓋本体２６を締付角度位置に保持することができる場合、このようなロック保持手段９４を省略するようにしてもよい。
【００４３】
この超音波噴霧器２における蓋体１４の取付け、取外しは、例えば、次のようにして行うことができる。超音波噴霧器２の液体収容部６に液体を充填してその開口を塞ぐには、液体収容部６の開口部２４に蓋体１４を装着して締付方向に締付角度位置まで回動すればよい。蓋体１４を液体収容部６の開口部２４に装着すると、図３及び図４から理解される如く、中蓋２８の下環状突部３８がこの開口部２４の径方向内側に位置し、下環状突部３８に装着されたＯ−リング４４によりこの開口部２４の内周面が密封される。
【００４４】
収容本体部１０の開口部２４に蓋体１４を装着する間は、上述した記載から理解される如く、蓋本体２６側のシール部材３６は中蓋２８から離隔し、その空気排出孔４６は開放されている。従って、蓋本体１４を装着することにより圧力上昇した空気は、中蓋２８の空気排出孔４６を通して外部に排出され、この液体収容部６内は大気圧に保持され、液体収容部６内の液体が噴霧開口部１６のメッシュ部材１８を通して漏れ出ることが防止される。
【００４５】
この蓋本体２６を上述の装着状態から締付方向に締付角度位置まで回動すると、収容本体部１０の開口部２４に装着された中蓋２８に対して蓋本体２６が締付方向に回動され、これにより、収容本体部１０の開口部２４を密封する中蓋２８に対して蓋本体２６が相対的に近接する方向移動し、この蓋本体２６に取り付けられたシール部材３６が中蓋２８に作用してその空気排出孔４６を密封する。
【００４６】
このとき、中蓋２８が収容本体部１０の開口部２４の開口端に当接した状態に保たれ、この中蓋２８に対して蓋本体２６が近接する方向に移動されるのみであるので、収容本体部１０内の空気が圧縮されることがなく、収容本体部１０内の空気の圧力上昇がなく、この場合においても、収容本体部１０内の液体がメッシュ部材１８を通して漏れ出ることが防止される。
【００４７】
以上、本発明に従う超音波噴霧器の一実施形態について説明したが、本発明はかかる実施形態に限定されるものではなく、本発明の範囲を逸脱することなく種々の修正乃至変更が可能である。
【００４８】
例えば、上述した実施形態では、液体霧化手段からの霧状液体を送出するための送風手段を設けているが、所定方向に送出する必要がないときなどにおいては、この送風手段を省略することができる。
【符号の説明】
【００４９】
２  超音波噴霧器
４  噴霧器ハウジング
６  液体収容部
８  液体霧化手段
１０  収容本体部
１２  開口部
１４  蓋体
１８  メッシュ部材
２６  蓋本体
２８  中蓋
３６  シール部材
５２  弾性偏倚手段
６２  近接移動機構
８２  離隔移動機構
【図１】
2020163310.tif 000003
【図２】
2020163310.tif 000004
【図３】
2020163310.tif 000005
【図４】
2020163310.tif 000006
【図５】
2020163310.tif 000007
【図６】
2020163310.tif 000008
【図７】
2020163310.tif 000009
【図８】
2020163310.tif 000010